(57)【要約】【課題】テレビ番組を視聴しながら視聴態度を決めようとするユーザに有益な文字情報の表示を行なえるデジタルＴＶ放送受信装置を提供する。【解決手段】デジタル放送受信装置８０は、指定されたチャンネルのデジタル放送信号に含まれる映像信号を復号し、デジタル放送信号に含まれる文字情報を処理する受信処理ブロック９２と、受信処理ブロック９２の出力を受け表示画面を作成する映像処理部９６と、受信処理ブロック９２及び映像処理部９６を制御する中央処理部１０４とを含む。中央処理部１０４は、指示されたチャンネルで放送中の番組の進行状態が所定の条件を満たすか否かにより、放送中の番組、次に放送予定、又は、放送中の番組及び次に放送予定の番組のいずれかに関する文字情報画面を作成し表示する。【選択図】        図３
2008301356.tif 000002
【特許請求の範囲】
【請求項１】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
前記映像処理手段を制御して、前記映像信号受信処理手段の受信するチャンネルのデジタル放送信号に含まれる映像信号と文字情報とを表示部に出力させるための制御手段とを含むデジタル放送受信装置であって、
前記文字情報は、前記指定されたチャンネルで放送中の番組に関する現在番組情報、及び当該チャンネルで次に放送予定の番組に関する次番組情報を含み、
前記映像処理手段は、
前記映像信号受信処理手段の出力する前記文字情報による文字情報画面を作成するための文字情報画面作成手段と、
前記映像信号受信処理手段により復号された前記映像信号と、前記文字情報画面作成手段により作成された前記文字情報画面とによる合成画面を作成するための合成画面作成手段とを含み、
前記制御手段は、
前記番組の進行状態が所定の条件を満たすか否かを判定するための判定手段と、
前記判定手段による判定結果に基づき、前記文字情報画面作成手段に、前記現在番組情報、前記次番組情報、又は前記現在番組情報及び前記次番組情報を用いて前記文字情報画面を作成させ、前記合成画面作成手段に与えさせるための手段と、
前記合成画面作成手段により出力される前記合成画面を前記表示部に表示させるための手段とを含む、デジタル放送受信装置。
【請求項２】
前記現在番組情報は、前記番組のタイトル情報と、前記番組の放送終了時刻を特定する放送終了時刻情報とを含み、
前記判定手段は、前記映像信号受信処理手段の出力する前記放送終了時刻情報に基づき、現在時刻から当該番組の放送の終了時刻までの時間間隔が所定の値以上か否かを判定するための手段を含む、請求項１に記載のデジタル放送受信装置。
【請求項３】
前記文字情報は、番組の進行に従って変化するローカルイベント情報をさらに含み、
前記判定手段は、前記番組内のローカルイベント情報が所定の条件を満たすか否かを判定するための手段を含む、請求項１に記載のデジタル放送受信装置。
【請求項４】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
前記映像処理手段を制御して、前記映像信号受信処理手段の受信するチャンネルのデジタル放送信号に含まれる映像信号と文字情報とを表示部に出力させるための制御手段とを含むデジタル放送受信装置において、前記表示部に文字情報を表示させるための、デジタル放送受信装置の制御方法であって、
前記文字情報は、前記指定されたチャンネルで現在放送中の番組に関する現在番組情報、及び当該チャンネルで次に放送予定の番組に関する次番組情報を含み、
前記映像処理手段は、
前記映像信号受信処理手段の出力する前記文字情報による文字情報画面を作成するための文字情報画面作成手段と、
前記映像信号受信処理手段により復号された前記映像信号と、前記文字情報画面作成手段により作成された前記文字情報画面とによる合成画面を作成するための合成画面作成手段とを含み、
前記方法は、
前記制御手段が、前記番組の進行状態が所定の条件を満たすか否かを判定する判定ステップと、
前記制御手段が、前記判定ステップによる判定結果に基づき、前記文字情報画面作成手段に、前記現在番組情報、前記次番組情報、又は前記現在番組情報及び前記次番組情報を用いて前記文字情報画面を作成させ、前記合成画面作成手段に与えさせるステップと、
前記制御手段が、前記合成画面作成手段により出力される前記合成画面を前記表示部に表示させるステップとを含む、デジタル放送受信装置の制御方法。
【請求項５】
デジタル放送信号を受信し、指定されたチャンネルのデジタル放送信号に含まれる映像
信号を復号する処理と、文字情報を処理して出力する処理とを行なうための映像信号受信処理手段と、
前記映像信号受信処理手段の出力を受けるように接続され、前記映像信号及び前記文字情報により表示画面を作成し出力するための映像処理手段と、
前記映像信号受信処理手段及び前記映像処理手段を制御可能なように設けられたコンピュータとを含むデジタル放送受信装置において、前記コンピュータにより実行されることにより、前記表示部に文字情報を表示させるように前記映像信号受信処理手段及び前記映像処理手段を制御するためのコンピュータプログラムであって、
前記文字情報は、前記指定されたチャンネルで放送中の番組に関する現在番組情報、及び当該チャンネルで次に放送予定の番組に関する次番組情報を含み、
前記映像処理手段は、
前記映像信号受信処理手段の出力する前記文字情報による文字情報画面を作成するための文字情報画面作成手段と、
前記映像信号受信処理手段により復号された前記映像信号と、前記文字情報画面作成手段により作成された前記文字情報画面とによる合成画面を作成するための合成画面作成手段とを含み、
前記コンピュータプログラムは、前記コンピュータを、
前記番組の進行状態が所定の条件を満たすか否かを判定するための判定手段と、
前記判定手段による判定結果に基づき、前記文字情報画面作成手段に、前記現在番組情報、前記次番組情報、又は前記現在番組情報及び前記次番組情報を用いて前記文字情報画面を作成させ、前記合成画面作成手段に与えさせるための手段と、
前記合成画面作成手段により出力された前記合成画面を前記表示部に表示させるための手段として機能させる、コンピュータプログラム。
【発明の詳細な説明】
【技術分野】
【０００１】
この発明はテレビジョン（以下「テレビ」と呼ぶ）の映像表示の改善技術に関し、特に、デジタルテレビ放送において、映像信号及び文字情報からなる映像表示を改善する技術に関する。
【背景技術】
【０００２】
これまでのアナログテレビ放送に代わり、すべてのテレビ放送がデジタル化されつつある。テレビ放送がデジタル化されることにより、電波の帯域を有効に利用しながら、ノイズの影響を受けることの少ない多くのチャンネルを利用することが可能になる。
【０００３】
電波の帯域は、情報を提供する上で有限な資源であり、デジタルテレビ放送は、ＵＨＦ（Ｕｌｔｒａ−Ｈｉｇｈ  Ｆｒｅｑｕｅｎｃｙ、極超短波）放送利用による利用可能帯域の拡大、及び信号の符号化による送信データ量削減により、帯域利用の効率化を図っている。
【０００４】
その上で、デジタルテレビ放送では、映像や音声と同時に、それ以外の情報、例えば、放映番組に関する情報、ニュース、及び天気予報のような文字情報を送信しユーザに提供することで、アナログテレビ放送では困難であったサービスを可能にしている。これらの文字情報は、データ放送と呼ばれる。文字情報は、ユーザの「データ放送」表示指示、又は「番組情報」表示指示等の指示と、そのテレビの表示レイアウトとを反映して、映像信号と同時に表示されることが一般的である。
【０００５】
文字情報のうち、番組に関する情報については、ユーザが視聴している番組の詳細を、その番組映像と共に視認することができ、ユーザにとって有用な情報である。番組に関する情報には、現在放送中の番組に関する番組情報、次に放送予定の番組に関する番組情報等がある。
【特許文献１】特開平１１−１８７３２９号公報
【発明の開示】
【発明が解決しようとする課題】
【０００６】
しかし、番組情報の提供については、次のような不都合が生じている。ある番組本編の放映期間が既に終了し、次の番組の放映が開始されるまでの間を考える。通常、この時間帯には、ＣＭ（コマーシャルメッセージ）が放送されている。この時間帯にユーザが「番組情報」表示指示をしたものとする。テレビジョン受像機の文字情報処理機能は、受信した放送信号から「現在の番組に関する情報」を抽出し、表示する。したがってこの場合、実質的には既に終了した番組の情報が提供されることになる。
【０００７】
同様に、以下のような問題点もある。デジタル放送では、デコードにある時間がかかるため、チャンネルの切替指示があってからそのチャンネルで放送されている映像が実際に表示されるまでの間に、画面に何も表示されない期間がある。この場合、ユーザはそのチャンネルでどのような番組が放送されているのかを直ちに知ることができない。
【０００８】
こうした問題を解決するために、チャンネル切替時、切替後のチャンネルの映像が表示されるまでの間、番組の文字情報を表示することが考えられる。文字情報により、少なくとも放送中の番組が何かを知ることができる。
【０００９】
しかしこの場合、切替後のチャンネルで放送されている番組がほとんど終わりかけていることがあり得る。そうしたときには、その番組に関する文字情報を表示したとしても、ユーザにとっては何の利益にもならない。終了しかけている番組がユーザの好みに合わない番組である場合には、ユーザはすぐにチャンネルを切替えるであろう。もしも次に放送予定の番組がユーザの好みにあうものである場合には、このように放送中の番組の文字情報を表示することは、むしろユーザにとって害をなすものといえる。
【００１０】
このような問題を解決する一方法として、特許文献１では、受信可能なすべてのチャンネルにおいて現在放送中の番組の情報リストと、次に放送予定の番組の情報リストとを作成し、ユーザの指示に応じてこれを表示する技術が開示されている。この技術によれば、ユーザは次に放送予定の番組リストの表示を自ら指示することにより、次の番組を確認できる。
【００１１】
しかし、特許文献１に開示の技術は、明示的に次の番組を確認するための指示をユーザが行なう必要がある。現在放送されている番組の視聴を継続しながら、次の番組を確認したり、ザッピングを行なって順次、どのチャンネルでどのような番組が放送されているかを確認したりする場合、すなわちテレビ番組を視聴しながら今後の視聴態度を決めようとする場合には、特許文献１に開示の技術では何の解決も得られない。
【００１２】
したがって本発明の目的は、テレビ番組を視聴しながら今後の視聴態度を決めようとするユーザにとって有益な文字情報の表示を行なうことができるデジタルテレビ放送の受信装置を提供することである。
【００１３】
本発明の他の目的は、テレビ番組を視聴しながら次に見るチャンネルを決めようとするユーザにとって有益な文字情報の表示を行なうことができるデジタルテレビ放送の受信装置を提供することである。
【００１４】
本発明のさらに他の目的は、テレビ番組の視聴を継続しながら次に見るチャンネルを決めようとするユーザにとって、テレビ番組の放送スケジュールと現在の時刻とに応じて、表示する文字情報の種類を変更することができるデジタルテレビ放送の受信装置を提供することである。
【課題を解決するための手段】
【００１５】
本発明の第１の局面に係るデジタル放送受信装置は、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、映像処理手段を制御して、映像信号受信処理手段の受信するチャンネルのデジタル放送信号に含まれる映像信号と文字情報とを表示部に出力させるための制御手段とを含む。文字情報は、指定されたチャンネルで放送中の番組に関する現在番組情報、及び当該チャンネルで次に放送予定の番組に関する次番組情報を含む。映像処理手段は、映像信号受信処理手段の出力する文字情報による文字情報画面を作成するための文字情報画面作成手段と、映像信号受信処理手段により復号された映像信号と、文字情報画面作成手段により作成された文字情報画面とによる合成画面を作成するための合成画面作成手段とを含む。制御手段は、番組の進行状態が所定の条件を満たすか否かを判定するための判定手段と、判定手段による判定結果に基づき、文字情報画面作成手段に、現在番組情報、前記次番組情報、又は前記現在番組情報及び次番組情報を用いて文字情報画面を作成させ、合成画面作成手段に与えさせるための手段と、合成画面作成手段により出力される合成画面を表示部に表示させるための手段とを含む。
【００１６】
このデジタル放送受信装置において、映像信号受信処理手段は、指定されたチャンネルのデジタル放送信号に含まれる映像信号の復号と、文字情報を処理して出力する処理とを行なう。映像処理手段は、映像信号受信処理手段の出力する文字情報による文字情報画面を作成し、映像信号受信処理手段により復号された映像信号及び文字情報画面による合成画面を作成する。制御手段は、受信中のチャンネルで放送中の番組の進行状態が所定の条件を満たすか否かを判定する。制御手段はさらに、判定手段による判定結果に基づき、文字情報画面作成手段を制御して、現在番組情報を含む文字情報画面、次番組情報を含む文字情報画面、又は現在番組情報及び次番組情報を含む文字情報画面を作成させる。加えて、制御手段は、合成画面作成手段を制御して、映像信号と作成された文字情報を合わせて合成画面を作成させ、作成された合成画面を出力させ表示部に表示させる。
【００１７】
本発明に係るデジタルテレビ受信装置は、番組に関連する文字情報を表示する際、ユーザが視聴中の番組の進行状態に合わせて、どのような情報を表示するかを変化させる。例えば、番組開始直後や中盤では視聴中の番組の情報を、番組終了間際や終了後のＣＭ放映中等では次に放送予定の番組の情報を、番組の中盤から終盤への移行時には視聴中及び次に放送予定の番組の情報を、それぞれ表示する。このことにより、本発明に係る装置により、ユーザにとり無利益な情報の提示を回避し、より有益な文字情報を提供することが可能になる。
【００１８】
好ましくは、現在番組情報は、指定されたチャンネルで現在放送中の番組のタイトル情報と、番組の放送終了時刻を特定する放送終了時刻情報とを含む。判定手段は、映像信号受信処理手段の出力する放送終了時刻情報に基づき、現在時刻から当該番組の放送の終了時刻までの時間間隔が所定の値以上か否かを判定するための手段を含む。
【００１９】
文字情報に含まれる現在番組情報は、番組タイトル及び放送終了時刻を含む。このうち、番組タイトルは文字情報として表示される。一方、放送終了時刻は、制御手段が、どのような情報を表示させるかを決定するための判定に用いられる。例えば、現在時刻と当該番組終了時刻の間隔について、時間間隔が第１の所定の値以上である場合、現在番組情報を含む文字情報が、時間間隔が第２の所定の値未満である場合、次番組情報を含む文字情報が、第１の所定の値未満及び第２の所定の値以上である場合、現在番組情報及び次番組情報を含む文字情報が表示される。
【００２０】
本装置において、放送中の番組情報として番組のタイトルが表示される。テレビ番組の視聴を継続しながら次に見るチャンネルを決めようとするユーザにとって、番組のタイトル名は最も重要な情報である。特にチャンネル切替を行ない、切替先チャンネルの映像が正常に表示されるまでの待ち時間の間に文字情報が表示される場合、番組のタイトルが表示されることで、ユーザは次に視聴するであろう番組がどのようなものかを確認することができる。加えて、本装置において、放送中番組の放送終了の時刻が入手される。この放送終了時刻と現在時刻との時間間隔に基づき表示される文字情報が決定されることで、ユーザはより有益な情報を得ることができる。
【００２１】
好ましくは、文字情報は、番組の進行に従って変化するローカルイベント情報をさらに含む。判定手段は、番組内のローカルイベント情報が所定の条件を満たすか否かを判定するための手段を含む。
【００２２】
放送中の番組の進行に伴って変化するローカルイベント情報が文字情報として入手できるので、このローカルイベント情報が所定の条件を満たすか否かにより、現在番組情報と、次番組情報と、それらの組合せとのうちいずれを表示するかが決定される。番組の進行状態を反映した情報が表示されるので、テレビ番組を視聴しながら次に見るチャンネルを決めようとするユーザにとって有益な文字情報を表示できる。
【００２３】
本発明の第２の局面に係るデジタル放送受信装置の制御方法は、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、映像処理手段を制御して、映像信号受信処理手段の受信するチャンネルのデジタル放送信号に含まれる映像信号と文字情報とを表示部に出力させるための制御手段とを含むデジタル放送受信装置において、表示部に文字情報を表示させるためのデジタル放送受信装置の制御方法である。文字情報は、指定されたチャンネルで現在放送中の番組に関する現在番組情報、及び当該チャンネルで次に放送予定の番組に関する次番組情報を含み、映像処理手段は、映像信号受信処理手段の出力する文字情報による文字情報画面を作成するための文字情報画面作成手段と、映像信号受信処理手段により復号された映像信号と、文字情報画面作成手段により作成された文字情報画面とによる合成画面を作成するための合成画面作成手段とを含む。制御方法は、制御手段が、番組の進行状態が所定の条件を満たすか否かを判定する判定ステップと、制御手段が、判定ステップによる判定結果に基づき、文字情報画面作成手段に、現在番組情報、次番組情報、又は現在番組情報及び次番組情報を用いて文字情報画面を作成させ、合成画面作成手段に与えさせるステップと、制御手段が、合成画面作成手段により出力される合成画面を表示部に表示させるステップとを含む。
【００２４】
本制御方法によれば、ユーザが番組情報を入手する際、視聴中の番組の進行状態に合わせて、どのような情報を表示すべきかを変化させる。例えば、番組開始直後や中盤では視聴中の番組の情報を、番組終了間際や終了後のＣＭ放映中等では次に放送予定の番組の情報を、番組の中盤から終盤への移行時には視聴中及び次に放送予定の番組の情報を、それぞれ表示する。
【００２５】
このような表示方法により、ユーザは正しくない情報、及び役に立たない情報を供与されることを回避することができ、代わりに有益な情報を得ることができる。
【００２６】
本発明の第３の局面に係るコンピュータプログラムは、デジタル放送信号を受信し、指定されたチャンネルのデジタル放送信号に含まれる映像信号を復号する処理と、文字情報を処理して出力する処理とを行なうための映像信号受信処理手段と、映像信号受信処理手段の出力を受けるように接続され、映像信号及び文字情報により表示画面を作成し出力するための映像処理手段と、映像信号受信処理手段及び映像処理手段を制御可能なように設けられたコンピュータとを含むデジタル放送受信装置において、コンピュータにより実行されることにより、表示部に文字情報を表示させるように映像信号受信処理手段及び映像処理手段を制御するためのコンピュータプログラムである。文字情報は、指定されたチャンネルで放送中の番組に関する現在番組情報、及び当該チャンネルで次に放送予定の番組に関する次番組情報を含む。映像処理手段は、映像信号受信処理手段の出力する文字情報による文字情報画面を作成するための文字情報画面作成手段と、映像信号受信処理手段により復号された映像信号と、文字情報画面作成手段により作成された文字情報画面とによる合成画面を作成するための合成画面作成手段とを含む。このコンピュータプログラムは、コンピュータを、番組の進行状態が所定の条件を満たすか否かを判定するための判定手段と、判定手段による判定結果に基づき、文字情報画面作成手段に、現在番組情報、次番組情報、又は現在番組情報及び次番組情報を用いて文字情報画面を作成させ、合成画面作成手段に与えさせるための手段と、合成画面作成手段により出力された合成画面を表示部に表示させるための手段として機能させる。
【００２７】
本コンピュータプログラムによれば、ユーザが番組情報を入手する際、視聴中の番組の進行状態に合わせて、どのような情報を表示すべきかを変化させる。例えば、番組開始直後や中盤では視聴中の番組の情報を、番組終了間際や終了後のＣＭ放映中等では次に放送予定の番組の情報を、番組の中盤から終盤への移行時には視聴中及び次に放送予定の番組の情報を、それぞれ表示する。
【００２８】
このような表示方法により、ユーザは正しくない情報、及び役に立たない情報を供与されることを回避することができ、代わりに有益な情報を得ることができる。
【発明の効果】
【００２９】
以上のように本発明に係るデジタルテレビ放送受信装置によれば、テレビ番組の放送スケジュール及び現在の時刻から判断される番組の進行状態に応じて、表示する文字情報の種類を変更し、テレビ番組を視聴しながら今後の視聴態度を決めようとするユーザにとって、有益な文字情報を行なうことが可能である。このような文字情報により、ユーザは、現在の番組視聴を継続しながら、次に放送予定の番組を視聴するかどうか、別のチャンネルの番組を視聴するかどうかといった、未来の行動を計画することが容易になり、その満足度を向上させることができる。
【発明を実施するための最良の形態】
【００３０】
以下、本発明の実施の形態に係るデジタルテレビ放送受信装置について説明する。以下の説明及び図面では、同一の部品には同一の参照符号及び名称を付してある。それらの機能も同一である。したがって、それらについての詳しい説明は繰返さない。
【００３１】
図１に、従来の技術による表示画面の経時変化を示す。図１を参照して、ある時間帯でのあるチャンネル（ここでは、それぞれ２０：００〜２１：００、及び第２チャンネル）の放送信号が、映像信号３０、「現在放送中の番組」情報を含む「現在放送番組」情報信号３２、「次に放送予定の番組」情報を含む「次放送番組」情報信号３４、及び、「番組内のローカルイベント」情報を含む「番組内のローカルイベント」情報信号３６を含む。これら情報は、デジタルテレビジョン放送において標準的に提供される情報である。
【００３２】
これらのうち、現在放送番組情報及び次に放送予定の番組情報の内容は明らかである。番組内のローカルイベント情報とは、番組中で特定のイベント（ローカルイベント）が発生していることを示す情報である。例えば、番組のオープニング時には「オープニング」というローカルイベント情報が、終了時には「エンディング」というローカルイベント情報が、ＣＭ放送時には「ＣＭ放送中」というローカルイベント情報が、それぞれデジタル放送信号とともに送信されてくる。
【００３３】
図１に、それぞれの信号の経時変化と、表示画面４０、４２及び４４との関係を提示する。なお、現在放送中の番組の放映時間は、２０：００〜２０：５５であり、表示画面のレイアウトとしては、映像信号と文字情報を合成したレイアウトがユーザにより選択されているものとする。
【００３４】
図１を参照して、初めに、時刻が２０：４３であるときにスポーツ番組が表示されているものとする。このときには、放映中のスポーツ番組の映像と、その番組に関する文字情報“スポーツ「アイスホッケー○○対△△」”とを含む画面４０が表示される。この画面において、番組に関する文字情報は「現在放送番組」情報信号３２から取得した「現在放送中の番組」情報であり、ユーザにとって有益な情報である。
【００３５】
時刻が２０：４７で、放映中の番組があと８分で終わるという時点について考える。従来技術では、ここでも画面４０と同様に、当該番組に関する文字情報を含む画面４２が表示される。しかしここでは、番組の終了まであと８分という状況に鑑みると、このような情報を表示してもユーザにとってはそれほど有益でない。特に、自分が既にこの番組を見ていてその内容がよく分かっている場合にはなおさらである。それでも、チャンネル切替時等には、残り８分という時点でも現在放送中の番組の内容を表示する意義はまだあるかもしれない。
【００３６】
最後に、時刻が２０：５４で、当該番組本編の放映が終了したものとする。この後、次に放送予定の番組の放映が開始されるまでの間には、ＣＭが放映される。この時間期間中は、従来技術では、まだ前の番組の放送時間中であるため、ＣＭの映像と、終了した番組の文字情報“スポーツ「アイスホッケー○○対△△」”とを含む画面４４が表示される。この場合、既に実質的な放送が終了している番組の情報を表示しても、ユーザにとって無益である。仮に他のチャンネルからこのチャンネルに切替えた場合、映像が表示されるまでの間に文字情報を表示するようにしても、ユーザはこのチャンネルで放送されている番組について正しい情報を得ることができない。映像が表示されたとしても、ＣＭの映像であるため、やはりユーザにとっては無益である。したがって、番組の視聴を続けながらどのチャンネルでどのような番組が放送されているかを確認しようとする場合には、ユーザにとってこうした表示方法は役に立たない。
【００３７】
このような現象は、番組の放送時間が、放送スケジュールのどの時点であるかにかかわらず、映像表示画面が、映像信号３０及び「現在放送番組」情報信号３２による情報から作成されており、その他の情報が映像表示画面に反映されないことに起因するものである。
【００３８】
［第１の実施の形態］
図２に、以下に説明する本願発明の第１の実施の形態に係るデジタルテレビ放送受信装置における表示画面の経時変化を示す。本実施の形態では、本装置は、文字情報を表示する際には、番組スケジュール及び現在時刻から番組の進行状態を判断し、どのような情報を表示すべきかを変化させる。例えば、番組本編が放送中ではあるが、終わり近くなっている場合には、現在放送中の番組情報と、次に放送予定の番組情報とを表示する。また、番組本編の放送が終わり、次に放送予定の番組の放送が開始されるまでの間には、次に放送予定の番組情報を表示する。
【００３９】
すなわち、図２を参照して、本実施の形態では、放送信号は、映像信号５０、「現在放送番組」情報信号５２、「次放送番組」情報信号５４、及び、「番組内のローカルイベント」情報信号５６を含む。以下、本実施の形態における、それぞれの信号の経時変化と、表示画面６０、６２及び６４との関係を示す。なお、番組放映時間は図１に示す例と同じものとする。
【００４０】
初めに、時刻が２０：４３で番組本編が放映中であるときには、図１と同様に、放映中のスポーツ番組の映像と、その番組に関する文字情報“スポーツ「アイスホッケー○○対△△」”とを含む画面６０が表示される。この画面の文字情報は図１の画面４０と同様である。
【００４１】
次に、時刻が２０：４７の時点、すなわち番組の放送時間の終了まであと８分の時点では、図１に示す画面４２または画面６０とは異なり、これらに示される情報に加え、次に放送予定の番組に関する文字情報“ニュース「□□□ニュース」”を含む画面６２が表示される。すなわち、この画面では、放送スケジュールと現在時刻とから判断される番組の進行状態に鑑み、ユーザが現在視聴している番組に関する情報だけではなく、この番組が終了後、次に放送される番組に関する情報も表示する。
【００４２】
最後に、時刻が２０：５４で、当該番組の放映が終了し、次に放送予定の番組の放映が開始されるまでの間の時間期間を考える。この期間には、このチャンネルではＣＭが放映される。そして、ＣＭの映像と、次に放送予定の番組に関する文字情報“ニュース「□□□ニュース」”とを含む画面６４が表示される。すなわち、実質的に放映が終了している番組本編に関する情報の表示を行なわず、これから表示される番組に関する情報のみを表示する。この場合の効果は画面６２の場合と同様であり、加えて、既に放送が完了した番組に関する情報が表示されないため、例えばチャンネル切替時等に無意味な情報に惑わされることがなくなる。
【００４３】
このような表示方法は、図１の従来技術と異なり、本実施の形態に係るデジタルテレビ放送受信装置に、「番組終了時刻」情報及び「現在時刻」情報より、番組が終了間際かどうかを判定するための手段を設け、図１の表示画面に示された情報に加え、「次放送番組」情報信号５４から取得した「次に放送予定の番組」情報を表示画面に反映させることにより実現が可能となる。
【００４４】
なお、「番組内のローカルイベント」情報５６は、画面６０、画面６２及び画面６４の表示レイアウトを決定するために用いられる。表示レイアウトについての詳細は後述する。
【００４５】
〈構成〉
図３に、本発明の第１の実施の形態に係るデジタルテレビ放送受信装置８０の構成をブロック図形式で示す。図３を参照して、デジタルテレビ放送受信装置８０は、デジタルテレビ放送信号を受信するアンテナ端子９０と、リモートコントローラ（以下「リモコン」と呼ぶ。）１１４等から与えられたチャンネル選局信号により指定されたチャンネルのデジタル放送信号を選局して出力するためのデジタルテレビ放送受信処理ブロック９２（以下「受信処理ブロック９２」と呼ぶ。）と、受信処理ブロック９２に接続され、所定の契約を締結した受信者のみが視聴可能な映像信号（限定受信信号）のデコードに必要な限定受信認証鍵を格納する限定受信認証鍵格納部９４とを含む。限定受信信号とは、例えば有料テレビ放送など、スクランブルした信号であって、限定受信認証鍵を持つ受信装置のみがスクランブルを解除することができるような信号のことをいう。
【００４６】
デジタルテレビ放送受信装置８０はさらに、受信処理ブロック９２の出力する受信信号を受けるように接続され、与えられた受信信号を処理して映像出力信号を出力する映像処理部９６と、映像処理部９６の出力する映像出力信号を受けるように接続され、その映像を表示するための表示部１００と、受信処理ブロック９２の出力する受信信号を受けるように接続され、受信信号を処理して音声出力信号を出力する音声処理部９８と、音声処理部９８からの音声出力信号を受けて音声に変換するための音声出力部１０２とを含む。
【００４７】
デジタルテレビ放送受信装置８０はさらに、受信処理ブロック９２、映像処理部９６、及び音声処理部９８を含む複数の入出力先の間での双方向の信号の伝送を行なうためのバス１０３と、バス１０３に接続され、図２に示されるようなチャンネル切替時の文字情報表示を実現するための所定のプログラム、及びその他の制御を行なうためのプログラムを実行する、ＣＰＵ（中央演算処理装置）からなる中央処理部１０４と、バス１０３に接続され、中央処理部１０４が実行するプログラム及び中央処理部１０４がプログラム実行の際に使用する作業変数等を当該処理時に一時的に記憶するための主記憶部１０６と、バス１０３に接続され、中央処理部１０４が実行するプログラム及びその他の情報を格納し、中央処理部１０４の制御に従って、必要な情報を必要なときに主記憶部１０６等の他の処理ブロックに出力し、他のブロックからの出力を格納するための、不揮発性の記憶装置からなる補助記憶部１０８と、バス１０３に接続され、時刻情報を出力する時計１１０と、バス１０３に接続され、リモコン１１４等からのチャンネル選択指示等の赤外線信号を受光し、中央処理部１０４に対しチャンネル切替コード等の制御コードとして与えるためのユーザ入力受付部１１２と、ユーザ入力受付部１１２に接続され、ユーザからの指示をユーザ入力部１１２に与えるための操作パネル１１６とを含む。
【００４８】
なお、映像処理部９６の行なう処理は、図３に示すように、チャンネルの選択などの表示選択処理、映像及び文字情報の表示を合成するための映像／文字表示合成処理、映像を含まず、文字情報のみからなる画面を作成するための文字表示画面作成処理、インターレース方式の映像表示装置向けに作成された映像信号をプログレッシブ方式の装置向けの映像信号に変換するための映像ＩＰ変換処理、低解像度の映像を拡大表示したときの映像の劣化を防ぐスケーリング処理、デコードした映像を一時蓄積してタイムシフト再生などを可能にするための映像一時蓄積処理、受信した信号中の文字情報を蓄積する文字情報蓄積処理、及び映像に対し種々の加工をするためのイフェクト処理等を含む。
【００４９】
同様に、音声処理部９８の行なう処理は、図３に示すように、チャンネルの選択などの音声選択処理、日本語と英語等複数の音声をユーザが選択した場合に音声を合成するための音声合成処理、ユーザからの指示により音量を制御する音量制御、及び音声に対し種々の加工をするためのイフェクト処理等を含む。
【００５０】
図４に受信処理ブロック９２の構成図を示す。図４を参照して、受信処理ブロック９２は、アンテナ端子９０により受信されたデジタルテレビ放送信号を受けるように接続され、バス１０３を介して中央処理部１０４から与えられたチャンネル選局信号により指定されたチャンネルのデジタル放送信号を選局して出力するためのデジタル放送フロントエンド処理部チューナ（以下「チューナ」と呼ぶ。）１２０と、チューナ１２０に接続され、チューナ１２０で受信した信号を復調するための復調部１２２と、復調部１２２に接続され、復調部１２２で復調された信号を情報の種類によって分離する多重信号分離部１２４とを含む。
【００５１】
多重信号分離部１２４により分離される信号の種類としては、番組特定情報及びサービス情報パケット、映像信号パケット、及び音声信号パケットがある。番組特定情報及びサービス情報パケットにより伝送される情報のうち、番組特定情報は、番組を選択するために必要な技術的情報を含む。サービス情報は、番組表、文字情報、及び限定受信情報を含む。文字情報は、いずれも後述するチャンネル情報、「現在放送中の番組」情報、「次に放送予定の番組」情報、及び「番組内のローカルイベント」情報を含む。限定受信情報は、映像信号パケットや音声信号パケットが限定受信情報であった場合、それを示す情報であり、その暗号を解除するために必要な情報である。
【００５２】
受信処理ブロック９２はさらに、多重信号分離部１２４に接続され、多重信号分離部１２４の出力のうち、番組特定情報及びサービス情報を受け、各情報に対してそれぞれ所定の処理を行なうための番組特定情報・サービス情報処理部１２６を含む。
【００５３】
番組特定情報・サービス情報処理部１２６により実行される処理は、チャンネル情報、「現在放送中の番組」情報、「次に放送予定の番組」情報、及び「番組内のローカルイベント」情報を、その目的に応じて処理し映像処理部９６または中央処理部１０４へ出力する処理を含む。
【００５４】
図２の表示画面を例として挙げ、サービス情報の詳細を説明する。図２を参照して、チャンネル情報は、画面６２に示された、チャンネル番号“ＣＨ２”及び放送局名“××テレビ”を含む。「現在放送中の番組」情報とは、「現在放送番組」情報信号５２より取得され、画面６２に示された“スポーツ「アイスホッケー○○対△△」”であるが、番組ジャンル情報（ここでは“スポーツ”）及び番組終了時刻等のその他の関連情報も含む。「次に放送予定の番組」情報は、「次放送番組」情報信号５４より取得され、画面６２に示された“ニュース「□□□ニュース」”であり、「現在放送中の番組」情報と同様の、次に放送予定の番組に関連する情報である。この情報は、画面６２が表示されている時点では放映されていないが、その情報を取得し伝送することができる。「番組内のローカルイベント」情報は、「番組内のローカルイベント」情報信号５６より取得され、「現在放送中の番組」中で特定のイベントが発生していることを示す。この情報は、番組開始直後には“オープニング”、終了前後には“エンディング”、ＣＭ放映中には“ＣＭ”のような内容となる。なお、番組放映中、「番組内のローカルイベント」情報は空である。
【００５５】
番組特定情報・サービス情報処理部１２６により実行される処理は、さらに、番組特定情報及びサービス情報パケットにより伝送される限定受信情報を処理し、映像信号暗号解除処理部１２８及び音声信号暗号解除処理部１３０へ出力する処理を含む。
【００５６】
受信処理ブロック９２はさらに、多重信号分離部１２４、番組特定情報・サービス情報処理部１２６、及び限定受信認証鍵格納部９４に接続され、多重信号分離部１２４の出力する映像信号パケットと、番組特定情報・サービス情報処理部１２６の出力する限定受信情報と、限定受信認証鍵格納部９４の出力する限定受信認証鍵とを受け、受信された映像信号パケットが限定受信信号であるときには限定受信認証鍵を用いてその暗号を解除して出力し、それ以外のときには映像信号パケットをそのまま出力するための映像信号暗号解除処理部１２８と、多重信号分離部１２４の出力する音声信号パケットと、番組特定情報・サービス情報処理部１２６の出力する限定受信情報と、限定受信認証鍵格納部９４からの限定受信認証鍵とを受けるように接続され、受信された音声信号パケットが限定受信信号であるときには限定受信認証鍵を用いてその暗号を解除して出力し、それ以外のときには単に音声信号パケットを出力するための音声信号暗号解除処理部１３０と、映像信号暗号解除処理部１２８の出力を受けるよう接続され、その出力信号から映像信号を復号して映像処理部９６に与える映像信号復号部１３２と、音声信号暗号解除処理部１３０の出力を受けるよう接続され、その出力信号から音声信号を復号して音声処理部９８に与える音声信号復号部１３４とを含む。なお、以下の説明では、受信された映像信号はすべて限定受信信号であるものとし、そのデコードに必要な限定受信認証鍵はすべて限定受信認証鍵格納部９４に格納されているものとする。
【００５７】
図５及び図６は、図３に示す中央処理部１０４により実行されるチャンネルメイン制御プログラムの制御構造を示す。
【００５８】
図５を参照して、中央処理部１０４が実行するプログラムは、図３に示すリモコン１１４及び操作パネル１１６によるユーザのチャンネル切替操作をユーザ入力受付部１１２が受信したか否かを判定し、判定結果に応じて制御の流れを分岐させるステップ１４０と、ステップ１４０においてユーザによるチャンネル切替操作があると判定されたことに応答して実行され、指示されたチャンネルが現在表示している番組と異なるチャンネルか否かを判定し、判定結果に応じて制御の流れを分岐させるステップ１４２と、ステップ１４２において、指示チャンネルが現在表示している番組と異なるチャンネルであると判定されたことに応答して実行され、映像処理部９６に対して表示部１００への出力停止を指示するステップ１４４と、ステップ１４４の後に実行され、受信処理ブロック９２に対しチャンネル切替処理を指示するステップ１４６とを含む。なお、ステップ１４２において、指示チャンネルが現在表示している番組と異なるチャンネルではないと判定された場合、処理はステップ１４０へ戻る。また、ステップ１４０においてユーザのチャンネル切換操作がないと判定された場合、制御は図６に示すステップ１６６に進む。
【００５９】
このプログラムはさらに、ステップ１４６の後に実行され、限定受信認証鍵格納部９４に、表示に必要な限定受信認証鍵が格納されているか否かを判定し、判定結果に応じて制御の流れを分岐させるステップ１４８と、ステップ１４８において表示に必要な限定受信認証鍵が格納されていると判定されたことに応答して実行され、映像処理部９６に、文字情報である番組情報画面を作成するための処理を実行させるステップ１５０と、ステップ１５０の後に実行され、表示部１００へ番組情報画面を出力するよう映像処理部９６を制御するステップ１５２と、ステップ１５２の後、この番組情報画面を表示するよう表示部１００を制御するステップ１５４とを含む。
【００６０】
このプログラムはさらに、ステップ１５４の後に実行され、指示チャンネルの復号済み映像信号について、その誤り率（ビットエラーレート）は基準値内か否かを判定し、基準値内になるまで待機するステップ１５６と、ステップ１５６において誤り率が基準値内であると判定されたことに応答して、映像処理部９６に対し表示部１００へ指示チャンネルの復号済み映像信号を出力するよう指示する処理を行なうステップ１５８と、ステップ１５８の後に実行され、表示部１００に指示チャンネルの復号済み映像信号を表示させるステップ１６０とを含む。ステップ１６０の後、処理を終了する。
【００６１】
このプログラムはさらに、ステップ１４８において、表示に必要な限定受信認証鍵が格納されていないと判定されたことに応答して実行され、映像処理部９６を制御し表示部１００へ「限定受信認証鍵がない」という主旨の文字情報を出力させるステップ１６２と、ステップ１６２の後、表示部１００に対しこの文字情報画面を表示させるステップ１６４とを含む。ステップ１６４の後、処理を終了する。
【００６２】
図６を参照して、このプログラムはさらに、ステップ１４０において、ユーザチャンネル切替操作がないと判定されたことに応答して実行され、番組情報画面の作成を行なうよう映像処理部９６を制御するステップ１６６と、ステップ１６６の後、現在受信中のチャンネルの信号のうち、「番組内のローカルイベント」情報を取得するステップ１６８と、補助記憶部１０８にあらかじめ格納されていた、図７に示す「『番組内のローカルイベント』情報と『表示レイアウト』情報の対応テーブル」１９０を取得した後、このテーブル１９０と、ステップ１６８にて取得した「番組内のローカルイベント情報」とより、その「番組内のローカルイベント情報」に対応する「表示レイアウト」情報を取得するステップ１７０と、その後、その「表示レイアウト」情報を中央処理部１０４から取得するよう映像処理部９６に指示するステップ１７２と、その後、取得された「表示レイアウト」情報に基づき番組情報画面と放送映像信号画面を合成するよう映像処理部９６を制御するステップ１７４と、その合成された信号を表示部１００へ出力するよう映像処理部９６を制御するステップ１７６と、その出力された合成画面信号を表示するよう表示部１００を制御するステップ１７８とを含む。ステップ１７８の後、処理はステップ１４０へ戻る。
【００６３】
なお、このプログラムを実行した場合、中央処理部１０４は、電源投入直後には初期設定のチャンネルを選択するように受信処理ブロック９２を制御するものとする。
【００６４】
図７を参照して、「『番組内のローカルイベント』情報と『表示レイアウト』情報の対応テーブル」１９０を補助記憶部１０８にあらかじめ格納する。これは『番組内のローカルイベント』情報の違いにより表示部１００に表示するレイアウトを変更させるための情報である。
【００６５】
図８は、図５に示すステップ１４６で実行されるチャンネル切替処理の詳細を示すフローチャートである。図８を参照して、この処理は、ステップ１４０において受信したチャンネル切替コードによって指示されたチャンネルの信号を選択させるために、図４に示すチューナ１２０の周波数設定を変更するステップ２００と、ステップ２００の後、チューナ１２０を新周波数と同調させるステップ２０２と、ステップ２０２の後、チューナにより受信された信号を復調部１２２に入力しその信号を復調させるステップ２０４と、その復調された信号を情報の種類によって分離するよう多重信号分離部１２４を制御するステップ２０６と、その信号分離ができるか否かを判定するステップ２０８とを含む。ステップ２０８において、信号分離できると判定された場合、処理は次のステップへ進み、一方で、信号分離できないと判定された場合、処理はステップ２０６へ戻る。
【００６６】
チャンネル切替処理は更に、ステップ２０８の判定がＹＥＳの場合に実行され、多重信号分離部１２４を制御し分離された信号をその種類によってそれぞれ、映像処理部９６、音声処理部９８、及び番組特定情報・サービス情報処理部１２６へ出力するステップ２１０と、ステップ２１０の後、限定受信認証鍵格納部９４に表示に必要な限定受信認証鍵が格納されているか否かを判定するステップ２１２と、ステップ２１２において、表示に必要な限定受信認証鍵が格納されていると判定されたことに応答して実行され、映像信号暗号解除処理部１２８に対し、限定受信認証鍵格納部９４からの出力である限定受信認証鍵、多重信号分離部１２４からの出力である映像信号パケット、及び番組特定情報・サービス情報処理部１２６からの出力である限定受信情報を与え、限定受信認証鍵により映像信号パケットの暗号を解除させる処理と、音声信号暗号解除処理部１３０に対し、限定受信認証鍵格納部９４からの出力である限定受信認証鍵、多重信号分離部１２４からの出力である音声信号パケット、及び番組特定情報・サービス情報処理部１２６からの出力である限定受信情報を与え、限定受信認証鍵により音声信号パケットの暗号を解除させる処理とを行なうステップ２１４と、ステップ２１４の後、映像信号暗号解除処理部１２８及び音声信号暗号解除処理部１３０を制御し、暗号解除済みの映像及び音声信号を、映像信号復号部１３２及び音声信号復号部１３４へそれぞれ出力させるステップ２１６と、ステップ２１６の後、映像信号復号部１３２及び音声信号復号部１３４に入力された映像信号及び音声信号を復号させるステップ２１８と、ステップ２１８の後、映像信号復号部１３２及び音声信号復号部１３４に対し、復号済みの映像信号及び音声信号を、それぞれ、映像処理部９６及び音声処理部９８へ出力させるステップ２２０とを含む。ステップ２２０の後、処理を終了する。
【００６７】
チャンネル切替処理はさらに、ステップ２１２において、限定受信認証鍵格納部９４に表示に必要な限定受信認証鍵が格納されていないと判定されたことに応答して実行され、映像信号暗号解除処理部１２８及び音声信号暗号解除処理部１３０に対し、それぞれ、映像信号及び音声信号を、映像信号復号部１３２及び音声信号復号部１３４への出力を停止させるステップ２２２と、映像信号復号部１３２及び音声信号復号部１３４に対し、映像処理部９６及び音声処理部９８への出力を停止させ、表示部１００に黒画面を表示させるステップ２２４とを含む。ステップ２２４の後、処理を終了する。
【００６８】
図９は、図５に示すステップ１５０、及び図６に示すステップ１６６において起動される、番組情報表示画面作成処理に対応する、番組情報表示画面作成処理をコンピュータ制御によって実現するプログラムのフローチャートである。図９を参照して、このプログラムは、受信しているチャンネル信号の中から、チャンネル情報、すなわち、チャンネル番号、チャンネル番号毎に割り当てられた３桁の番号（以下「３桁の番号」と呼ぶ。）、及び放送局名を映像処理部９６に取得させるステップ２５０と、ステップ２５０の後、受信しているチャンネルの信号のうち、「現在放送中の番組」情報及び「次に放送予定の番組」情報を映像処理部９６に取得させるステップ２５２と、その後、取得した「現在放送中の番組」情報より「番組終了時刻」を取得するステップ２５４と、ステップ２５４の後、時計１１０より「現在時刻」を取得するステップ２５６と、「番組終了時刻」と「現在時刻」とを比較するステップ２５８と、ステップ２５８の後に実行され、「番組終了時刻」と「現在時刻」との差が１０分以上か否かを判定するステップ２６０と、ステップ２６０において「番組終了時刻」と「現在時刻」との差が１０分以上であると判定されたことに応答して実行され、ステップ２５０において得たチャンネル情報と、ステップ２５２において得た現在放送中の番組情報とにより、映像処理部９６に文字情報である番組情報画面を作成させるステップ２６２とを含む。ステップ２６２の後、処理を終了する。
【００６９】
本プログラムは更に、ステップ２６０において「番組終了時刻」と「現在時刻」との差が１０分未満であると判定されたことに応答して実行され、「番組終了時刻」と「現在時刻」との差が５分以上か否かを判定するステップ２６４と、ステップ２６４において「番組終了時刻」と「現在時刻」との差が５分以上であると判定されたことに応答して、ステップ２５０において得たチャンネル情報と、ステップ２５２において得た「現在放送中の番組」情報及び「次に放送予定の番組」情報とを用いて文字情報である番組情報画面を作成するように映像処理部９６を制御するステップ２６６とを含む。ステップ２６６の後、処理を終了する。
【００７０】
本処理は更に、ステップ２６４において「番組終了時刻」と「現在時刻」との差が５分未満であると判定されたことに応答して実行され、ステップ２５０において得たチャンネル情報と、ステップ２５２において得た「次に放送予定の番組」情報とを用いて番組情報画面を作成するように映像処理部９６を制御するステップ２６８とを含む。ステップ２６８の後、処理を終了する。
【００７１】
〈動作〉
以上に構成を説明したこのデジタル放送受信装置８０は、以下のように動作する。図３を参照して、デジタルテレビ放送受信装置８０の電源が投入されると、図４に示すチューナ１２０は初期設定により指定されたチャンネルの信号の受信を開始し、図３に示す中央処理部１０４は、補助記憶部１０８に格納されたプログラムの実行を開始する。なお、以下に示す動作は、ユーザがリモコン１１４等を介してチャンネル切替操作を行なったときにも実行される。チャンネル切替操作を示す赤外線信号はユーザ入力受付部１１２により受信され、受信信号が中央処理部１０４に与えられる。
【００７２】
図４を参照し、チューナ１２０は、中央処理部１０４の制御により、指定されたチャンネルの受信を行なうため、その周波数設定を変更したのち、新しい周波数と同調し、受信した信号を復調部１２２に与える。復調部１２２は、チューナ１２０により受信し出力された信号を復調し、その信号を多重信号分離部１２４へ与える。多重信号分離部１２４は、復調された信号をその情報の種類によって分離し、そのうち、番組特定情報及びサービス情報パケットを番組特定情報・サービス情報処理部１２６へ、映像信号パケットを映像信号暗号解除処理部１２８へ、音声信号パケットを音声信号暗号解除処理部１３０へ出力する。
【００７３】
番組特定情報・サービス情報処理部１２６は、番組特定情報及びサービス情報パケットに含まれる情報のうち、限定受信情報を映像信号暗号解除処理部１２８及び音声信号暗号解除処理部１３０へ与え、それ以外の情報については、中央処理部１０４の指示に応じて処理を行ない、映像処理部９６又は中央処理部１０４へ出力する。なお、番組特定情報・サービス情報処理部１２６が受ける、限定受信情報以外の情報には、文字情報である、チャンネル情報、「現在放送中の番組」情報、「次に放送予定の番組」情報、及び「番組内のローカルイベント」情報を含む。
【００７４】
映像信号暗号解除処理部１２８は、多重信号分離部１２４から出力された映像信号パケットについて、番組特定情報・サービス情報処理部１２６から与えられた限定受信情報と、限定受信認証鍵格納部９４から与えられた限定受信認証鍵とにより、その暗号を解除して映像信号復号部１３２へ出力する。映像信号復号部１３２は暗号解除済みの映像信号を復号し、映像処理部９６へ与える。
【００７５】
音声信号暗号解除処理部１３０は、多重信号分離部１２４から出力された音声信号パケットについて、番組特定情報・サービス情報処理部１２６から与えられた限定受信情報と、限定受信認証鍵格納部９４から与えられた限定受信認証鍵とにより、その暗号を解除して音声信号復号部１３４へ出力する。音声信号復号部１３４は暗号解除済みの音声信号を復号し、音声処理部９８へ与える。
【００７６】
図３を参照して、映像処理部９６は、中央処理部１０４の制御に従い、映像信号復号部１３２から出力された映像信号と、番組特定情報・サービス情報処理部１２６から出力された文字情報により、文字情報画面及び映像信号と文字情報との合成画面を作成する。この際の中央処理部１０４の動作について以下に説明する。
【００７７】
図５を参照して、ステップ１４０で、ユーザによるチャンネル切替操作があったか否かが判定される。ここでは、ユーザによるチャンネル切替操作がない場合を想定すると、制御は図６に示すステップ１６６に進む。
【００７８】
ステップ１６６では、映像処理部９６による番組情報画面作成処理が実行される。すなわち、図９を参照して、ステップ２５０で現在表示中のチャンネルのチャンネル情報が取得される。ステップ２５２で「現在放送中の番組」情報と、「次に放送予定の番組」情報とが取得される。ステップ２５４で、中央処理部１０４は、「現在放送中の番組」情報から「番組終了時刻」情報を取得する。この情報を用いて、以下のような判定を行ない、番組の終了時刻までの時間の長さにより、異なる番組情報画面が作成される。
【００７９】
すなわち、ステップ２５６において、現在の時刻を時計１１０から取得する。ステップ２５８において、ステップ２５４で取得された番組終了時刻と、ステップ２５６で取得された現在時刻とを比較する。この比較結果にしたがい、現在時刻から番組終了時刻までの差が１０分以上か否かがステップ２６０で判定される。差が１０分以上であればステップ２６２に進み、さもなければステップ２６４に進む。
【００８０】
差が１０分以上の場合には、ステップ２６２でチャンネル情報の「現在放送中の番組」情報を用いて、現在放送中の番組名を含む番組情報画面を作成し、この処理を終了する。
【００８１】
一方差が１０分未満の場合には、さらに、ステップ２６４において差が５分以上か否かが判定される。差が５分以上（かつ１０分未満）であれば制御はステップ２６６に進む。それ以外の場合には処理はステップ２６８に進む。
【００８２】
ステップ２６６では、「現在放送中の番組」情報と、「次に放送予定の番組」情報より、現在放送中の番組名と次に放送予定の番組名との両者を含んだ番組情報画面を作成し、処理を終わる。一方、ステップ２６８では、「次に放送予定の番組」情報を用い、次に放送予定の番組名を含んだ番組情報画面を作成し、処理を終了する。
【００８３】
つまり、現在時刻が番組終了時刻よりも１０分以上早い場合には、現在放送中の番組名を含み、次の放送予定の番組名を含まない番組情報画面が作成される。現在時刻と番組終了時刻との差が１０分未満で、かつ５分以上の場合には、現在放送中の番組名と次に放送予定の番組名との双方を含む番組情報画面が作成される。そして、現在時刻と番組終了時刻との差が５分未満であれば、次に放送予定の番組名を含み現在放送中の番組名を含まない番組情報画面が作成される。
【００８４】
再び図６を参照して、ステップ１６８でローカルイベントを取得し、ステップ１７０、１７２、及び１７４により、ローカルイベントに応じた表示レイアウトで、番組情報画面と映像信号画面とが合成される。合成により得られた画面はステップ１７６で映像処理部９６に与えられ、ステップ１７８で表示される。すなわち、これらの画面を正常に表示できるよう加工処理を行ない、これを表示部１００へ出力する。音声処理部９８は、音声信号復号部１３４より与えられた音声信号を正常に出力可能な状態になるよう加工を行ない、これを音声出力部１０２へ出力する。表示部１００は、映像処理部９６より出力された文字情報画面及び合成画面を、中央処理部１０４の制御に従い表示する。
【００８５】
一方、ユーザがチャンネル切替操作をした場合には中央処理部１０４は以下のように動作する。図５を参照して、この場合にはステップ１４０での判定結果がＹＥＳとなり、処理はステップ１４２に進む。新たに指定されたチャンネルが表示中のチャンネルと同じ場合には何も行なわれないが、両者が異なっている場合には処理はステップ１４４に進む。
【００８６】
ステップ１４４では、映像処理部９６から表示部１００への出力が停止される。すなわち、画面には何も表示されない状態となる。
【００８７】
ステップ１４６において、受信処理ブロック９２を制御し、チャンネル切替処理を行なう。チャンネル切替処理は図８に示すとおりであって、要するに、指定されたチャンネルの信号を受信するよう、チューナ１２０の周波数を設定し、信号を復調し、多重信号を分離し、暗号を解除して映像信号、音声信号及び文字情報とを出力する処理が行なわれる。
【００８８】
再び図５を参照して、ステップ１４８での判定結果がＹＥＳであるものとすると、処理はステップ１５０に進む。ステップ１５０で、映像処理部による番組情報画面の作成処理が実行される。この内容については既に述べたとおりである。この処理の結果、現在時刻が番組終了時刻よりも１０分以上早い場合には、現在放送中の番組名を含み、次の放送予定の番組名を含まない番組情報画面が作成される。現在時刻と番組終了時刻との差が１０分未満で、かつ５分以上の場合には、現在放送中の番組名と次に放送予定の番組名との双方を含む番組情報画面が作成される。そして、現在時刻と番組終了時刻との差が５分未満であれば、次に放送予定の番組名を含み現在放送中の番組名を含まない番組情報画面が作成される。そして、ステップ１５２及びステップ１５４によって、この番組情報画面が表示される。ここでは、映像信号による画面の表示はまだ行なわれていないので、画面には文字情報による番組情報画面のみが表示されることになる。
【００８９】
そして、ステップ１５６で復号済みという判定が行なわれると、ステップ１５８及びステップ１６０によって、映像信号が表示される。以後の処理は、チャンネル切替がないときの処理になり、既に説明したとおりの動作が行なわれる。
【００９０】
以上の動作を、より具体的に、図２に示す画面６０、画面６２、及び画面６４（時刻はそれぞれ２０：４３、２０：４７、２０：５４）を例に、図３に示す、受信処理ブロック９２、限定受信認証鍵格納部９４、映像処理部９６、音声処理部９８、表示部１００、音声出力部１０２及び中央処理部１０４、補助記憶部１０８、時計１１０の動作について説明する。なお、現在放送中の番組は２０時５５分まで放送されるものとする。
【００９１】
時刻は２０：４３の時点で、ユーザが第２チャンネルの視聴を続けているものとする。ここではチャンネル切替操作がないと仮定する。図５のステップ１４０の判定結果はＮＯとなる。その結果、図６に示すステップ１６６の処理が実行される。
【００９２】
図６を参照して、ステップ１６６において番組情報画面作成処理が実行される。具体的には、図９に示すステップ２５０で、映像処理部９６が受信処理ブロック９２に含まれる番組特定情報・サービス情報処理部１２６より、現在視聴しているチャンネル（第２チャンネル）の情報を取得する。ステップ２５２では、映像処理部９６が番組特定情報・サービス情報処理部１２６より、第２チャンネルで「現在放送中の番組」情報、すなわち“スポーツ「アイスホッケー○○対△△」”という情報と、「次に放送予定の番組」情報、すなわち“ニュース「□□□ニュース」”という情報とを取得する。現在放送中の番組情報には、番組終了時刻に関する情報も含まれている。
【００９３】
ステップ２５４において、中央処理部１０４は、ステップ２５２において映像処理部９６が取得した「現在放送中の番組」情報より、番組終了時刻、すなわち“２０：５５”という値を取得する。ステップ２５６では、中央処理部１０４は、時計１１０より現在の時刻情報、すなわち“２０：４３”という値を入手する。ステップ２５８において、先に得られた番組終了時刻“２０：５５”と現在時刻“２０：４３”とが比較される。その差は１２分である。したがってステップ２６０における判定結果はＹＥＳとなる。すなわち、ステップ２６２の処理が行なわれ、チャンネル情報と、「現在放送中の番組」情報とを組み合わせた番組情報画面、“ＣＨ２  ××テレビ    スポーツ「アイスホッケー○○対△△」”が作成される。そしてこの処理を終了する。
【００９４】
再び図６を参照して、ステップ１６８では中央処理部１０４が「番組内のローカルイベント」情報を取得し、ステップ１７０において、補助記憶部１０８にあらかじめ格納された、図７に示す「『番組内のローカルイベント』情報と『表示レイアウト』情報の対応テーブル」１９０を取得し、ステップ１６８で取得した「番組内のローカルイベント」情報に対応する「表示レイアウト」情報を取得する。この場合、「番組内のローカルイベント」は“情報なし”であるため、これに対応する表示レイアウト情報１９１を取得する。ステップ１７２では映像処理部９６が表示レイアウト情報１９１を取得し、ステップ１７４では、この情報に基づき、ステップ１６６において実行された、番組情報画面作成処理により作成された番組情報画面と、映像信号画面が合成され、ステップ１７６において映像処理部９６からその合成画面が表示部１００へ出力される。ステップ１７８では表示部１００において合成画面が表示され、この処理を終了する。この結果表示される画面が、図２に示す画面６０である。
【００９５】
次に、時刻が２０：４７の時点にユーザが第２チャンネルの視聴を続けているものとする。このとき、中央処理部１０４は、図９のステップ２５６までは、時刻２０：４３の場合と同様の処理を行なう。しかし、ステップ２５８において算出される番組終了時刻と現在時刻との差は８分となる。そのためステップ２６０での判定結果はＮＯとなり、処理はステップ２６４に進む。そして、ステップ２６４での判定はＹＥＳとなる。
【００９６】
この結果、ステップ２６６において、チャンネル情報と、「現在放送中の番組」情報と、「次に放送予定の番組」情報とを組み合わせた表示画面、“ＣＨ２  ××テレビ    スポーツ「アイスホッケー○○対△△」    ニュース「□□□ニュース」”が作成される。その後の処理は、時刻２０：４３と同様である。ここで表示される画面は、図２に示す画面６２となる。
【００９７】
最後に、時刻２０：５４の時点には中央処理部１０４は以下のように動作する。ここでも、ユーザが第２チャンネルの視聴を続けているものとする。このとき、図９に示すステップ２５６までは、時刻２０：４３の場合と同様に処理は進む。しかし、図９のステップ２５８で算出される、現在時刻と番組終了時刻との差は１分である。したがって、ステップ２６０及び２６４における判定結果はＮＯとなる。これにより、ステップ２６８において、チャンネル情報と、「次に放送予定の番組」情報を組み合わせた表示画面、“ＣＨ２  ××テレビ    ニュース「□□□ニュース」”が作成される。その後処理はステップ１６８へ進む。
【００９８】
ステップ１６８以降の処理は、時刻２０：４３と同様であるが、時刻２０：５４には、「番組内のローカルイベント」情報は“ＣＭ中”となっている。そのため、図６に示すステップ１７０において取得される「表示レイアウト」情報は、図７に示す対応テーブル１９０中の、「ＣＭ中」に対応する表示レイアウト情報１９２となる点が異なる。この結果、表示される画面は、図２の画面６４のように、番組本編の放送中とは異なるレイアウトとなる。
【００９９】
また、チャンネル切替の操作があった場合にも、映像の表示が可能になるまでの間、上のような形で作成された番組情報表示画面が表示される。したがって、例えばチャンネルを切替えた先の番組の放送が実質的に終了してしまっているにもかかわらず、その番組情報が表示されるような事態を回避できる。チャンネル切替時、映像が表示されるまでの間、文字情報のみを頼りに番組選択を行なおうとするユーザにとって、番組選択をより確実に行なうことが可能になる。
【０１００】
以上のように、本実施の形態では、現在時刻と現在放送中の番組の終了時刻までの差が１０分以上ある場合には、図２に示す画面６０のように現在放送中の番組情報が映像の右上に合成されて表示される。現在時刻と番組の終了時刻までの差が１０分未満、かつ５分以上のときには、図２に示す画面６２のように現在放送中の番組情報及び次に放送予定の番組情報の双方を含む番組情報画面が映像の右上に合成されて表示される。現在時刻と終了時刻との差が５分未満のときには、図２に示す画面６４のように、次に放送予定の番組情報を含む番組情報画面が、ＣＭ映像の下の部分に合成されて表示される。
【０１０１】
以上のとおり本実施の形態では、番組終了１０分前から終了までの間には、従来技術とは異なり、番組情報画面の一部として、次に放送予定の番組情報を表示する。このため、ユーザは放送スケジュールと現在時刻との関係に鑑み、次に視聴する可能性があるという点で有益な、次に放送予定の番組情報を取得することができる。このため、ユーザはこの文字情報を基に、テレビ番組を視聴しながら今後の視聴態度を決めることが容易になる。
【０１０２】
さらに、ユーザはこの文字情報を基に、次にどのチャンネルを視聴するかを考えることもできる。
【０１０３】
加えて、番組終了５分前から終了までの間には、従来技術とは異なり、現在放映中の番組情報の表示をせず、次に放送予定の番組に関する情報を表示する。これによりユーザは、実質的に既に放送が終わってしまった番組に関する情報ではなく、これから放送される番組に関する情報を知ることができる。したがって、既に放送が終わってしまった番組に関する情報のみが現在放送中の番組情報として表示される場合のように、意味のない情報が表示されることにより、番組の選択を誤ってしまうおそれを少なくすることができる。
【０１０４】
以上のように本発明に係るデジタルテレビ放送受信装置８０によれば、テレビ番組の放送スケジュールと現在の時刻とから判断される番組の進行状態に応じて、表示する文字情報の種類を変更し、テレビ番組を視聴しながら今後の視聴態度を決めようとするユーザにとって、有益な文字情報を行なうことが可能である。このような文字情報により、ユーザは、現在の番組視聴を継続しながら、次に放送予定の番組を視聴するかどうか、別のチャンネルの番組を視聴するかどうかといった、未来の行動を計画することが容易になり、その満足度を向上させることができる。
［変形例］
【０１０５】
本実施の形態では、番組の終了時刻と現在時刻との時間間隔に応じて、表示する文字情報の種類を変更したが、放送信号に含まれる番組内のローカルイベント情報に応じて表示する文字情報の種類を変更してもよい。
【０１０６】
図２に示す「番組内のローカルイベント」情報５６と表示画面の経時変化とを用いて、具体例を説明する。図２を参照して、現在放送中の番組の「番組内のローカルイベント」情報５６は、経時により、「オープニング」から、６回の「ＣＭ」、４回の“情報なし”状態、及び「エンディング」へと変化する。これらの情報により、本装置は、視聴している時点において、番組が開始直後か、中盤か、又は終了間際かを判断する。例えば、「番組内のローカルイベント」情報５６が３回目の“情報なし”状態を示す時点では、番組終了まで１０分以上の時間がある。この時点において、本装置において、画面６０のように文字情報として現在放送中の番組の情報が表示される。「番組内のローカルイベント」情報５６が４回目の“情報なし”状態の時点では、番組終了までの時間は１０分未満５分以上である。この時点では、画面６２のように、現在放送中の番組及び次に放送予定の番組の情報が表示される。「番組内のローカルイベント」情報５６が６回目の「ＣＭ」を示す時点では、実際の番組はすでに終了している。この時点では、画面６４のように次に放送予定の番組の情報が表示される。
【０１０７】
以上の変形例による効果は、第１の実施の形態と同様である。
【０１０８】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味および範囲内でのすべての変更を含む。
【図面の簡単な説明】
【０１０９】
【図１】従来の技術による受信された情報信号の経時変化と、番組情報表示画面との関係を示す図である。
【図２】本発明の第１の実施の形態に係るデジタルテレビ放送受信装置による、受信された情報信号の経時変化と、番組情報表示画面との関係を示す図である。
【図３】第１の実施の形態に係るデジタルテレビ放送受信装置８０の概略ブロック図である。
【図４】図３に示すデジタルテレビ放送受信処理ブロック９２の概要ブロック図である。
【図５】デジタルテレビ放送受信装置８０の中央処理部１０４で実行されるチャンネルメイン制御プログラムを示すフローチャートである。
【図６】図５のステップ１４０においてＮＯと判定された場合、実行される処理のフローチャートである。
【図７】「『番組内のローカルイベント』情報と『表示レイアウト』情報の対応テーブル」１９０を示す図である。
【図８】図５のステップ１４６において起動され、デジタルテレビ放送受信処理ブロック９２において実行されるチャンネル切替処理を示すフローチャートである。
【図９】図５のステップ１５０及び図６のステップ１６６において起動される、「現在放送中の番組」情報と、「次に放送予定の番組」情報との表示画面作成処理を示すフローチャートである。
【符号の説明】
【０１１０】
８０  デジタルテレビ放送受信装置
９２  デジタルテレビ放送受信処理ブロック（受信処理ブロック）
９４  限定受信認証鍵格納部
９６  映像処理部
９８  音声処理部
１００  表示部
１０２  音声出力部
１０３  バス
１０４  中央処理部
１０６  主記憶部
１０８  補助記憶部
１１０  時計
１１２  ユーザ入力受付部
１１４  リモコン
１１６  操作パネル
１２０  チューナ
１２２  復調部
１２４  多重信号分離部
１２６  番組特定情報・サービス情報処理部
１２８  映像信号暗号解除処理部
１３０  音声信号暗号解除処理部
１３２  映像信号復号部
１３４  音声信号復号部
【図１】
2008301356.tif 000003
【図２】
2008301356.tif 000004
【図３】
2008301356.tif 000005
【図４】
2008301356.tif 000006
【図５】
2008301356.tif 000007
【図６】
2008301356.tif 000008
【図７】
2008301356.tif 000009
【図８】
2008301356.tif 000010
【図９】
2008301356.tif 000011